(57)【要約】【課題】購入したコンテンツについては、ダウンロードが完了しているか未完了かにかかわらず、コンテンツ一覧画面などで確認することができるようにする。【解決手段】情報処理装置５００（図１）は、ユーザが購入を希望するコンテンツ（番組）の夫々毎に、夫々のサーバ１００，２００（図１）からこれらコンテンツに関するメタデータやサムネイルを取得し、記録保持する。全ての購入するコンテンツのメタデータやサムネイルを取得すると、ユーザの操作装置の所定操作により、全ての購入したコンテンツについて、メタデータからメニューを作成し、コンテンツ一覧画面６１０を表示する。このコンテンツ一覧画面６１０では、全ての購入したコンテンツのメニューを表示するが、ダウンロード済みのコンテンツに対するメニュー６１１とダウンロード未完了のコンテンツに対するメニュー６１２とは、区別できる形態で表示する。【選択図】図７
2014014094.tif 000002
【特許請求の範囲】
【請求項１】
ネットワークを介してコンテンツをダウンロードするための制御を行なうダウンロード制御装置であって、
該ネットワークを介して取得したコンテンツや情報を記録する記録手段と、
該記録手段に記録された該コンテンツを表示するモニタと、
を備えるとともに、
購入するコンテンツ毎に、該購入するコンテンツの所在情報や該購入するコンテンツのメタデータを有するコンテンツ用メタファイルの所在情報を含むダウンロード制御メタファイルを取得して該記録手段に記録する手段と、
取得した該ダウンロード制御メタファイルでの該コンテンツ用メタファイルの所在情報をもとに、該購入するコンテンツ毎の該コンテンツ用メタファイルを全て取得して該記録手段に記録する手段と、
該購入するコンテンツの全ての該コンテンツ用メタファイルを取得して該記録手段に記録した後、該記録手段に記録されている該購入するコンテンツの全ての該コンテンツ用メタファイルを読み出して、該コンテンツ用メタファイルのメタデータから該購入するコンテンツ毎のメニューを作成してコンテンツ一覧画面を作成し、該モニタに表示する手段と、
該購入するコンテンツの全ての該コンテンツ用メタファイルを取得して該記録手段に記録した後、該記録手段に記録されている該ダウンロード制御メタファイルの該コンテンツの所在情報をもとに、該購入するコンテンツの順次のダウンロードを要求する手段と
を設けたことを特徴とするダウンロード制御装置。
【発明の詳細な説明】
【技術分野】
【０００１】
本発明は、データやプログラムなどのコンテンツの情報処理装置へのダウンロードを制御するダウンロード制御装置に関する。
【背景技術】
【０００２】
ブロードバンドインターネットサービスの普及に伴い、映像や写真（静止画像），音楽，マルチメディアデータ，アプリケーションプログラムなどといったコンテンツをインターネットなどのネットワークを介して配信するサービスが注目を集めている。
【０００３】
このような様々のコンテンツを購入してダウンロードするとき、ＰＣ（パーソナルコンピュータ）などの情報処理装置では、インターネットブラウザを利用し、ダウンロードポータルのＷｅｂページにおいて、ＨＴＭＬ（Hyper Text Markup Language）コンテンツからリンクされているコンテンツを、ユーザが情報処理装置の操作デバイスで所定の操作を行なって指示することにより、購入し、ダウンロードすることができる。
【０００４】
このように、ユーザが所望のコンテンツを購入する際、テレビジョン受像機などの情報処理装置において、簡単かつ効率的に、インターネットを介して、配信されるコンテンツを購入することができるようにするために、ブラウザがコンテンツサーバからダウンロード制御ファイルを取得し、ダウンロードエージェントをプラグイン起動させ、このダウンロードエージェントが、このダウンロード制御ファイルに記述される情報に基づいて、ダウンロードを実行し、ＤＲＭエージェントにＤＲＭ処理の実行を制御させてライセンスを取得し、コンテンツサーバにコンテンツを構成するファイルの取得を要求するようにした
技術が提案されている（例えば、特許文献１参照）。
【先行技術文献】
【特許文献】
【０００５】
【特許文献１】特開２００５ー１５９７０３号公報
【発明の開示】
【発明が解決しようとする課題】
【０００６】
ところで、上記特許文献１に記載のように、情報処理装置で所望のコンテンツをダウンロートするようにした技術が知られているが、コンテンツのダウンロードの利便性を向上させるために、多数のコンテンツを一括してダウンロードしたり、定期的に配信されるコンテンツを逐次ダウンロードしたり、新しいバージョンのコンテンツが配信されたとき、ダウンロード済みのコンテンツをこの新しいコンテンツに更新できたりする機能を提供できるようにすることが望ましい。この点については、上記特許文献１では、配慮されていない。
【０００７】
このようなダウンロード機能を実現する方法として、ダウンロードを実行するために必要なコンテンツに関する情報を記載したメタデータを利用する方法がある。コンテンツのかかるメタデータとしては、例えば、コンテンツの名称やデータ種別，サイズ，当該コンテンツのインターネット上での所在を示すＵＲＬ（Uniform Resouce Locator），配信日時などである。また、１つのメタデータに、複数のコンテンツに関するダウンロードのための情報が含まれる場合もある。
【０００８】
コンテンツのダウンロード処理では、一般的には、コンテンツを購入した時点で、情報処理装置が、コンテンツを提供するプロバイダのサーバから上記のダウンロード制御メタファイルを取得し、これに従ってこのコンテンツに該当するメタデータとこのコンテンツのデータ本体とを取得する。これにより、購入したコンテンツのダウンロード処理が完了したとき、コンテンツのデータ本体が情報処理装置の記録部の記録媒体に保存され、ユーザはダウンロードが完了したコンテンツをその一覧画面や検索画面で確認することができる。
【０００９】
しかしながら、かかるダウンロード処理では、購入したコンテンツがダウンロード完了しない限り、このコンテンツを一覧画面や検索画面で表示させることができず、このため、ユーザは、購入したにもかかわらず、それを確認することができず、不便なものである。
【００１０】
例えば、ユーザが複数のコンテンツを購入する場合、これら購入したコンテンツは全てダウンロードされて保存するものであるが、情報処理装置の記録装置の容量が不足することがあるため、これらコンテンツを購入した時点では、ユーザは購入したコンテンツの一部だけをダンウロートするように指示し、残りのコンテンツについては、後でダウンロードするようにする場合もある。
【００１１】
このような場合、ダウンロードが完了したコンテンツは一覧画面などで確認することができるが、ダウンロードしていないコンテンツやダウンロード中のコンテンツは、購入しているにもかかわらず、一覧画面で確認することができないという問題がある。また、購入済みではあるが、ダウンロードされていないコンテンツを確認したい場合には、ユーザはＷｅｂブラウザを立ち上げ、配信サーバのダウンロード予定のコンテンツのポータルにアクセスしなければならず、ユーザにとっては手間がかかるものであって、不便である。
【００１２】
本発明は、かかる問題に鑑みてなされたものであって、その目的は、購入したコンテンツについては、ダウンロードが完了しているか未完了かにかかわらず、コンテンツ一覧画面などで確認することができるようにしたダウンロード制御装置を提供することにある。
【課題を解決するための手段】
【００１３】
上記目的を達成するために、本発明は、ネットワークを介してコンテンツをダウンロードするための制御を行なうダウンロード制御装置であって、該ネットワークを介して取得したコンテンツや情報を記録する記録手段と、該記録手段に記録された該コンテンツを表示するモニタと、を備えるとともに、購入するコンテンツ毎に、該購入するコンテンツの所在情報や該購入するコンテンツのメタデータを有するコンテンツ用メタファイルの所在情報を含むダウンロード制御メタファイルを取得して該記録手段に記録する手段と、取得した該ダウンロード制御メタファイルでの該コンテンツ用メタファイルの所在情報をもとに、該購入するコンテンツ毎の該コンテンツ用メタファイルを全て取得して該記録手段に記録する手段と、該購入するコンテンツの全ての該コンテンツ用メタファイルを取得して該記録手段に記録した後、該記録手段に記録されている該購入するコンテンツの全ての該コンテンツ用メタファイルを読み出して、該コンテンツ用メタファイルのメタデータから該購入するコンテンツ毎のメニューを作成してコンテンツ一覧画面を作成し、該モニタに表示する手段と、該購入するコンテンツの全ての該コンテンツ用メタファイルを取得して該記録手段に記録した後、該記録手段に記録されている該ダウンロード制御メタファイルの該コンテンツの所在情報をもとに、該購入するコンテンツの順次のダウンロードを要求する手段とを設けたことを特徴とするものである。
【００１４】
また、本発明は、コンテンツ一覧画面では、ダウンロード済みのコンテンツのメニューとダウンロードが未完了の購入したコンテンツのメニューとを異なる形態で表示することを特徴とするものである。
【００１５】
また、本発明は、コンテンツ一覧画面でダウンロード済みのコンテンツのメニューを選択することにより、該当するコンテンツの詳細情報とコンテンツを再生可能とする「再生」ボタンとを備えた第１のコンテンツ詳細画面を表示し、コンテンツ一覧画面でダウンロード未完了のコンテンツのメニューを選択することにより、該当するコンテンツの詳細情報のみを備えた第２のコンテンツ詳細画面を表示することを特徴とするものである。
【００１６】
また、本発明は、コンテンツ一覧画面でダウンロードのないダウンロード未完了のコンテンツのメニューを選択することにより、該当するコンテンツのダウンロードを可能とする「ダウンロード」ボタンを備えた第３のコンテンツ詳細画面を表示することを特徴とするものである。
【００１７】
また、本発明は、第３のコンテンツ詳細画面で「ダウンロード」ボタンを選択することにより、該当するコンテンツのダウンロードが開始するとともに、コンテンツのダウンロードの進捗状況を表わす第４のコンテンツ詳細画面を表示することを特徴とするものである。
【００１８】
また、本発明は、第４のコテンツ詳細画面でコンテンツのダウンロード進捗状況が所定の状況になると、コンテンツの再生を可能とする「再生」ボタンを表示した第５のコンテンツ詳細画面を表示することを特徴とするものである。
【００１９】
また、本発明は、第５のコンテンツ詳細画面で「再生」ボタンを選択すると、該当するコンテンツが記録手段から読み出されてモニタに表示する再生画面を表示し、かつ再生画面に該当するコンテンツのダウンロード進捗状況を表示することを特徴とするものである。
【００２０】
また、本発明は、第５のコンテンツ詳細画面で「再生」ボタンを選択したときに、他の購入するコンテンツも同時にダウンロード中であるとき、他の購入するコンテンツのダウンロードを継続させるか、一時停止させるかを問い合わせる警告画面を表示し、他の購入するコンテンツのダウンロードを一時停止させる指示がなされたとき、再生画面を表示することを特徴とするものである。
【発明の効果】
【００２１】
本発明によると、コンテンツを購入した時点で、コンテンツ毎のメタデータなどからなるコンテンツ用メタファイルを取得することができ、ダウンロード済みのコンテンツばかりでなく、ダウンロードが未完了のコンテンツがあっても、全ての購入したコンテンツの一覧画面を表示させることができ、購入したコンテンツ全ての確認やその詳細画面を表示させることができる。
【図面の簡単な説明】
【００２２】
【図１】本発明によるダウンロード制御装置の一実施形態を示すシステム構成図である。
【図２】図２は図１におけるＷｅｂサーバに格納されているダウンロード制御メタファイルの一具体例を示す構成図である。
【図３】図３は図１におけるコンテンツメタファイルサーバに格納されているコンテンツ用メタファイルの一具体例を示す構成図である。
【図４】図１に示すシステムの一般的なダウンロード処理動作を示すフローチャートである。
【図５】図１における情報処理装置において、ＨＤＤに格納されたダウンロード済みのコンテンツ本体に対し、ローカルナビゲーションプログラムを実行しているときのモニタでの画面遷移の一具体例を示す図である。
【図６】図１に示す実施形態でのダウンロード処理動作を示すフローチャートである。
【図７】図６に示す処理動作によって得られた情報に基づいて図１におけるモニタの表示画面に表示される図５でのコンテンツ一覧画面の一具体例を示す図である。
【図８】図７に示すコンテンツ一覧で選択されたコンタンツに対するコンテンツ詳細画面の一具体例を示す図である。
【図９】図７に示すコンテンツ一覧で選択されたダウンロード未完了のコンタンツに対するコンテンツ詳細画面の他の具体例を示す図である。
【図１０】本発明によるダウンロード制御装置の第３の実施形態におけるコンテンツ詳細画面のさらに他の具体例を示す図である。
【図１１】図１０に示すコンテンツ詳細画面で、ダウンロード進捗状況表示欄でのダウンロード進捗状況表示バーが所定の長さとなったときのコンテンツ詳細画面を示す図である。
【図１２】図１１における「再生」ボタンを選択したときに表示される再生画面の一具体例を示す図である。
【図１３】本発明によるダウンロード制御装置の第４の実施形態での警告画面の一具体例を示す図である。
【発明を実施するための形態】
【００２３】
以下、本発明の実施形態を図面を用いて説明する。
【００２４】
図１は本発明によるダウンロード制御装置の一実施形態を示すシステム構成図であって、１００はＷｅｂサーバ、１１０はＷｅｂページ、１２０はダウンロード制御メタファイル、２００はコンテンツメタファイルサーバ、２１０はコンテンツ用メタファイル、２２０はサムネイルファイル、３００はコンテンツサーバ、３１０はコンテンツ本体、４００はインターネット網、４１０はルータ、５００は情報処理装置、５１０はＬＡＮ Ｉ／Ｆ（ローカルエリアネットワーク・インターフェース）、５２０はＣＰＵ（中央処理ユニット）、５３０はメモリ、５４０はＨＤＤ Ｉ／Ｆ（ハードディスクドライブ・インターフェース）、５５０はＨＤＤ、５６０はモニタ、５７０は受信部である。
【００２５】
同図において、この実施形態は、Ｗｅｂサーバ１００とコンテンツメタファイルサーバ２００とコンテンツサーバ３００と情報処理装置５００とを備えており、情報処理装置５００がルータ４１０を介してインターネット網４００に接続され、このインターネット網４００を介してＷｅｂサーバ１００とコンテンツメタファイルサーバ２００とコンテンツサーバ３００とに接続されている。
【００２６】
情報処理装置５００では、ＣＰＵ５２０が、メモリ５３０やＨＤＤ５５０に格納されているプログラムを実行することにより、各部を制御して各種の処理（例えば、Ｗｅｂサーバ１００のＷｅｂページを参照するブラウザ、コンテンツメタファイルサーバ２００のコンテンツ用メタファイル２１０及びコンテンツサーバ３００のコンテンツ（データ本体）を取得するダウンロード、ダウンロードされた各種データのＨＤＤ５５０への書き込み、ＨＤＤ５５０に記録されているコンテンツの一覧を表示するローカルナビゲーション、ＨＤＤ５５０に記録されているコンテンツの再生、モニタ５６０でのコンテンツの表示など
のプログラムの実行）を行なわせる。
【００２７】
なお、情報処理装置５００は、例えば、ネットワーク（この場合、インターネット網４００）に接続可能で、記録機能を有するテレビジョン受像機やレコーダ，ＰＣなどである。
【００２８】
また、情報処理装置５００では、ＨＤＤ５５０はＨＤＤ Ｉ／Ｆ５４０を介してＣＰＵ５２０に接続されており、データ書込プログラムを実行することにより、大容量のデータのＨＤＤ５５０での書込／読出処理を行なうことができる。なお、ＨＤＤ５５０の代わりに光ディスクやフラッシュメモリなどの記録媒体を用いることもできるし、かかる記録媒体は内蔵のものであってもよいし、外付けであってもよい。
【００２９】
情報処理装置５００は、ＬＡＮ Ｉ／Ｆ５１０により、ルータ４１０を介してインターネット網４００に接続されており、これにより、Ｗｅｂサーバ１００やコンテンツメタファイルサーバ２００，コンテンツサーバ３００との間でデータのやり取りを行なうことができる。なお、ルータ４１０の代わりに、ゲートウェイを用いてもよい。
【００３０】
さらに、情報処理装置５００には、ユーザインターフェースとして、ブラウザの表示やコンテンツの一覧画面や検索画面の表示，ＨＤＤ５５０から再生されたコンテンツの表示を行なうための内蔵または外付けのモニタ５６０が設けられ、また、リモートコントローラやキーボード，マウスからの操作信号などを受信する受信部５７０が設けられている。
【００３１】
情報処理装置５００からインターネット網４００を介してアクセスするサーバとしては、ここでは、Ｗｅｂサーバ１００とコンテンツメタファイルサーバ２００とコンテンツサーバ３００とが用いられる。
【００３２】
コンテンツサーバ３００には、情報処理装置５００でダウンロード可能な全てのコンテンツのデータ本体（以下、単にコンテンツという）３１０が保存されている。
【００３３】
また、Ｗｅｂサーバ１００は、課金処理機能を備えているとともに、情報処理装置５００でそのブラウザ機能によって表示されるＷｅｂページ１１０と、情報処理装置５００が要求するコンテンツサーバ３００でのコンテンツ本体３１０をこの情報処理装置５００にダウンロードするのに必要な制御情報を記述したダウンロード制御メタファイル１２０とを保持している。コンテンツメタファイルサーバ２００は、情報処理装置５００でダウンロードされたコンテンツ本体３１０を表示させたり、ＨＤＤ５５０などから再生させたりするのに必要なコンテンツメタデータ情報を含むコンテンツ用メタファイル２１０と、コンテンツサーバ３００での各コンテンツ本体３１０のサムネイルファイル２２０とが保持されている。
【００３４】
なお、Ｗｅｂサーバ１００とコンテンツメタファイルサーバ２００とコンテンツサーバ３００とは、情報処理装置５００のようなハードウェア構成をなしており、例えば、ＣＰＵ５２０がメモリ５３０上のプログラムを実行することにより、情報処理装置５００の要求に対して各種の処理を行なう。
【００３５】
また、ここでは、Ｗｅｂサーバ１００とコンテンツメタファイルサーバ２００とコンテンツサーバ３００との機能を別々のサーバに持たせているものとするが、これに限るものではなく、これらの機能のうちのいずれか２つを、もしくは全部を１つのサーバに持たせるようにすることもできる。
【００３６】
さらに、所望のコンテンツを購入してダウンロードさせるときには、顧客管理及び課金管理の機能を実現する課金サーバや、コンテンツの著作権保護を実現するために、コンテンツの再生を制御するコンテンツ再生制御情報及びＤＲＭ（Digital Rights Management：デジタル著作権管理）での鍵データを保持しているサーバなどを追加するようにしてもよく、かかる機能をＷｅｂサーバ１００に持たせるようにしてもよい。
【００３７】
コンテンツの一般的なダウンロード処理は、情報処理装置５００が、コンテンツメタファイルサーバ２００に対してコンテンツ用メタファイル２１０を要求して取得し、この取得したコンテンツ用メタファイル２１０をもとに、コンテンツサーバ３００に対してこのコンテンツを要求し、このコンテンツサーバ３００から要求されたコンテンツをインターネット網４００を介して配信されるものであり、このダウンロードされたコンテンツがＨＤＤ Ｉ／Ｆ５４０を介して配信され、ＨＤＤ５５０に記録される。これにより、ダウンロード処理が完了する。
【００３８】
さらに詳細に説明すると、サービスプロバイダで情報処理装置５００（または、そのユーザ）のＩＤ（識別符号）の認証処理が実行され、しかる後、情報処理装置５００はＷｅｂサーバ１００のＨＴＭＬのＷｅｂページ１１０を取得し、このＷｅｂページ１１０で所定の操作をすることにより、コンテンツのパッケージのＩＤと情報処理装置５００（または、そのユーザ）のＩＤとを顧客管理の課金サーバに送信し、課金する。この場合、Ｗｅｂサーバ１００が課金処理機能を備えていれば、この課金処理がＷｅｂサーバ１００で行なわれる。課金処理が完了すると、Ｗｅｂサーバ１００から情報処理装置５００にダウンロード制御メタファイル１２０がダウンロードされ、情報処理装置５００は、このダウンロード制御メタファイル１２０に従って、コンテンツメタファイルサーバ２００に該当するコンテンツのパッケージに対応したメタデータを含むコンテンツ用メタファイル２１０を要求すると、このコンテンツ用メタファイル２１０がダウンロードされる。そして、情報処理装置５００は、このダウンロードされたコンテンツ用メタファイル２１０をもとに、コンテンツサーバ３００に該当するコンテンツ本体３１０を格納したパッケージを要求すると、コンテンツサーバ３００から情報処理装置５００にこのコンテンツ本体３１０のパッケージがダウンロードされる。このダウンロードされたコンテンツ本体３１０は、ＨＤＤ５５０に記録されるとともに、リモートコントローラなどの操作によって受信部５７０で受信される操作信号に応じて、モニタ出力プログラムが実行されてモニタ５６０に表示される。なお、コンテンツ本体３１０をＨＤＤ５５０が再生するときには、再生制御メタファイルやＤＲＭの鍵データを必要に応じて取得する。
【００３９】
図２は図１におけるＷｅｂサーバ１００に格納されているダウンロード制御メタファイル１２０の一具体例を示す構成図であって、１２１はダウンロード制御情報、１２１ａはダウンロード制御メタファイル１２０の名称、１２１ｂは同じく所在情報（ＵＲＬ）、１２１ｃは同じく説明文、１２１ｄは購入パッケージＩＤ、１２１ｅは購入パッケージ内コンテンツ用メタファイルの一括ダウンロード先情報（ＵＲＬ）、１２２はダウンロード実行情報、１２２ａは配信コンテンツ（コンテンツ本体）のタイトル、１２２ｂは同じく説明文、１２２ｃは同じく配信日時、１２２ｄは同じく所在情報（ＵＲＬ）、１２２ｅは同じく種別、１２２ｆは同じくコンテンツ用メタファイルの所在情報（ＵＲＬ）、１２２ｇは同じくサイズである。
【００４０】
同図において、ダウンロード制御メタファイル１２０は、このダウンロード制御メタファイル１２０自体の内容を記述したダウンロード制御情報１２１と、１または複数のコンテンツ本体をダウンロードするために用いるダウンロード実行情報とを含んでおり、例えば、ＲＳＳ（RDF Site Summary）で記述され、１つのパッケージ内の任意の複数のコンテンツ本体に対して作成（用意）することが可能であるが、複数のパッケージに跨るものではない。また、１つのパッケージに対して複数のダウンロード制御メタファイル１２０を用意することができるが、必ず１つのパッケージ内の全てのコンテンツ本体がダウンロードできるようにする。
【００４１】
ダウンロード制御情報１２１には、これを含むダウンロード制御メタファイル１２０の名称（例えば、ダウンロード予約の名称，ファイル名，ＩＤなど）を示すダウンロージ制御メタファイルの名称１２１ａ、このダウンロード制御メタファイル１２０の所在場所（例えば、ダウンロード予約を提供するＷｅｂサイトのインターネット上のＵＲＬ）を示すダウンロージ制御メタファイルの所在情報（ＵＲＬ）１２１ｂ、このダウンロード制御メタファイル１２０を説明（例えば、ダウンロード予約についての説明や言語タイプなど）するダウンロージ制御メタファイルの説明文１２１ｃ、コンテンツ本体の購入するパッケージを示す購入パッケージＩＤ１２１ｄ、購入したパッケージ内の全てのコンテンツ本体のコンテンツ用メタファイル１２０を一括ダウンロードすることができるように、例えば、ダウンロードのクリア情報を含む購入パッケージ内コンテンツ用メタファイル一括ダウンロード先情報（ＵＲＬ）１２１ｅなどの情報が含まれている。
【００４２】
ダウンロード実行情報１２２は、１つのダウンロード制御メタファイル１２０内に複数存在してもよく、ダウンロードする夫々のコンテンツ本体毎にそのタイトル（番組名やファイル名，ＩＤなど）を示す配信コンテンツのタイトル１２２ａ、この配信コンテンツの説明した、例えば、その特徴や備考などの配信コンテンツの説明文１２２ｂ、この配信コンテンツが配信される日時（日単位や時単位，分単位など）を示す配信日時１２２ｃ、この配信コンテンツの所在場所を示す配信コンテンツの所在情報（ＵＲＬ）１２２ｄ、このコンテンツの種別（映像，音楽やドラマ，スポーツといったジャンルなど）を示す配信コンテンツの種別１２２ｅ、配信コンテンツに対応するコンテンツ用メタファイル２１０の所在場所を示す配信コンテンツ用メタファイルの所在情報（ＵＲＬ）１２２ｆ、この配信コンテンツのサイズを示す配信コンテンツのサイズ１２２ｇなどの情報を含んでいる。
【００４３】
ここで、配信日時１２２ｃは、コンテンツサーバ３００（図１）に格納されているコンテンツ本体３１０の公開日や公開予定日を記述したものであり、一時配信されたコンテンツ本体３１０の内容が更新された場合には、その更新日時が配信日時１２２ｃとなる。
【００４４】
また、配信コンテンツの種別１２２ｅは、例えば、コンテンツサーバ３００からは移審されるコンテンツ本体３１０が映像，写真（静止画），音楽，プログラム，マルチメディアデータなどの種別のいずれであるかを示すものであり、さらに、例えば、映像の種別を細分化して、映画，ニュース，スポーツなどのいずれであるか、音楽の場合には、クラシック，ロック，ジャズなどのいずれであるかも示すようにしてもよい。
【００４５】
ダウンロージ制御メタファイルの所在情報１２１ｂや購入パッケージ内コンテンツ用メタファイル一括ダウンロード先情報１２１ｅ，配信コンテンツの所在情報１２２ｄ，配信コンテンツ用メタファイルの所在情報１２２ｆとしては、ＵＲＬ以外のアドレス情報であってもよく、また、対象となるコンテンツ本体のダウンロードに関する検索命令を含んでいてもよい。
【００４６】
図３は図１におけるコンテンツメタファイルサーバ２００に格納されているコンテンツ用メタファイル２１０の一具体例を示す構成図であって、２１１は番組情報、２１１ａは番組のタイトル、２１１ｂは番組の概要テキスト、２１１ｃは番組のジャンル、２１１ｄは番組のオーディオ・ビダオの識別情報、２１１ｅは番組の言語情報、２１１ｆは番組のサムネイルの所在情報（ＵＲＬ）、２１２はシリーズ情報、２１２ａはシリーズのタイトル情報、２１２ｂはシリーズの概要テキスト情報、２１２ｃはシリーズのサムネイルの所在情報（ＵＲＬ）、２１３はライセンス情報、２１３ａはライセンスタイプ、２１３ｂはコピー制限情報、２１４は購入情報、２１４ａはコンテンツの視聴可能期間情報、２１４ｂはコンテンツの値段情報である。
【００４７】
同図において、コンテンツ用メタファイル２１０は、各コンテンツ本体毎に作成されているものであって、該当するコンテンツのメタデータからなるものであり、このコンテンツ用メタファイル２１０に該当するコンテンツ本体の情報について説明する番組情報２１１や該当するコンテンツ本体が所属するシリーズ（例えば、連続ドラマなど）について説明するシリーズ情報２１２、ダウンロードされるコンテンツ本体がコピー可能であるか否かを説明するライセンス情報２１３、ダウンロードするコンテンツ本体の購入価格２１４などのメタデータを含んでいる。
【００４８】
番組情報２１１は、該当するコンテンツ本体（番組）の名称を示す番組のタイトル２１１ａやこの該当するコンテンツ本体の概要を記述した番組の概要テキスト２１１ｂ、コメディやアクション，ホラーなどの該当するコンテンツ本体の種別を示す番組のジャンル２１１ｃ、該当するコンテンツ本体における映像の解像度やビットレート，オーディオのチャンネル数などを示す番組のオーディオ・ビダオの識別情報２１１ｄ、該当するコンテンツ本体で使用される言語を種別するための番組の言語情報２１１ｅ、コンテンツメタファイルサーバ２００におけるサムネイルファイル２２０のうちの当該コンテンツ本体のサム
ネイル情報を取得するための番組のサムネイルの所在情報（ＵＲＬ）２１１ｆなどの、該当コンテンツ（番組）に関する情報を含むものである。
【００４９】
シリーズ情報２１２は、該当するコンテンツ本体が所属するシリーズの名称を示すシリーズのタイトル情報２１２ａやこのシリーズの概要を示すシリーズの概要テキスト情報２１２ｂ、このシリーズのサムネイルの所在場所を示すシリーズのサムネイルの所在情報（ＵＲＬ）２１２ｃなどの情報を含んでいる。
【００５０】
ライセンス情報２１３は、例えば、該当するコンテンツ本体が１つの情報処理装置５００（図１）にダウンロードされたとき、このコンテンツ本体が、この情報処理装置５００から他の情報処理装置５００の記録媒体や記録層とにコピーできるコンテンツであるかどうかを示すライセンスタイプ２１３ａやダウンロードされた当該コンテンツのコピー可能なメディアの種類を制限するコピー制限情報２１３ｂなどの情報を含んでいる。
【００５１】
購入情報２１４は、当該コンテンツ本体の視聴（ダウンロード）可能な期間を示すコンテンツの視聴可能期間情報２１４ａや当該コンテンツ本体の価格を示すコンテンツの値段情報２１４ｂなどの情報を含んでいる。
【００５２】
次に、図１に示すシステムのダウンロード処理動作について説明するが、まず、図４により、一般的な処理動作について説明する。
【００５３】
まず、情報処理装置５００において、ユーザが図示しないリモートコントローラやキーボード，マウスなどの操作装置を操作することにより、その操作信号が受信部５７０で受信される。ＣＰＵ５２０は、この受信された操作信号の指示により、メモリ５３０に格納されているブラウザプログラムを実行し、ＬＡＮ Ｉ／Ｆ５１０からルータ４１０，インターネット網４００を介して（以下、かかる情報処理装置５００と各サーバ１００，２００，３００との間の通信については、説明を省略する）、コンテンツの配信サービスを提供するプロバイダのＷｅｂサーバ１００のダウンロードポータルサイトにアクセスし、コンテンツの配信を要求する（ステップＳ１０１）。Ｗｅｂサーバ１００は、情報処理装置５００からのこの要求に対し、提供可能なコンテンツのリストを含み、かつこのリスト上のコンテンツ毎にそれに関する情報を含むＷｅｂページ１１１を情報処理装置５００に転送する。これにより、ＣＰＵ５２０は、ブラウザプログラムを実行して、モニタ５６０に購入可能なコンテンツの提供されたリストの画面、即ち、Ｗｅｂページ１１１を表示させる（ステップＳ１０２）。
【００５４】
このリストの画面では、例えば、コンテンツ毎にその名称あるいはサムネイルが表示されており、名称あるいはサムネイル毎にチェックボックスが設けられており、ユーザが操作装置を操作して購入を希望するコンテンツのチェックボックスにチェックマークを付し、しかる後、Ｗｅｂページに表示される購入ボタンを押圧する操作を行なうと、情報処理装置５００からＷｅｂサーバ１００に購入命令が転送される（ステップＳ１０３）。
【００５５】
なお、このような操作装置によるモニタ５６０での画面操作は、画面上でカーソルを移動させ、カーソルがチェックボックスや購入ボタンなどの所定の位置にあるときに、操作装置で設定ボタンを操作することによって行なわれる。モニタ５６０の表示が面がタッチパネルである場合には、指先などの指示部材により、直接チェックボックスや購入ボタンなどの所定の位置をタッチ操作すればよい。
【００５６】
情報処理装置５００から転送される購入命令には、この情報処理装置５００の操作ＩＤまたはユーザＩＤや購入を指定したコンテンツのパッケージに関する情報などの情報が含まれており、この購入命令を取得したＷｅｂサーバ１００は、課金処理を行なう（ステップＳ１０４）。課金処理が完了すると、Ｗｅｂサーバ１００は、ユーザが購入を希望し、かつダウンロード（購入）可能なコンテンツのリストとこれらコンテンツに関する情報とを含むＷｅｂページ１１２を情報処理装置５００に転送する（ステップＳ１０５）。
【００５７】
情報処理装置５００では、このＷｅｂページ１１２を取得すると、ＣＰＵ５２０がブラウザプログラムを実行し、このＷｅｂページ１１２、即ち、課金処理済みのユーザが購入を希望して購入可能となったコンテンツの、先のステップＳ１０２でのリスト画面と同様のリスト画面（リストページ）をモニタ５６０に表示させる（ステップＳ１０６）。ユーザが操作装置を操作して、このコンテンツリスト画面からダウンロードを希望するコンテンツを選択し、この画面上のダウンロード開始ボタンを押す操作をすると、ダウンロード命令がＷｅサーバ１００に転送される（ステップＳ１０７）。
【００５８】
Ｗｅｂサーバ１００では、このダウンロード命令を受信すると、このダウンロード命令で指定されるダウンロード希望のコンテンツ毎に、これ該当するダウンロード制御情報１２１（図２）を購入パッケージＩＤ１２１ｄから求め、求めたダウンロード制御情報１２１を含むダウンロード制御メタファイル１２０を発行し（ステップＳ１０８，Ｓ１０９）、情報処理装置５００に転送する。
【００５９】
情報処理装置５００は、このダウンロード制御メタファイル１２０を取得すると（ステップＳ１１０）、これを解析して（ステップＳ１１１）、このダウンロード制御メタファイル１２０のダウンロード実行情報１２２（図２）から、ダウンロード希望のコンテンツ毎に、配信コンテンツ用メタファイルの所在情報（ＵＲＬ）１２２ｆを取得し、これをもとに、コンテンツメタファイルサーバ２００に要求して、配信コンテンツ用メタファイル２１０を取得し（ステップＳ１１２）、また、これとともに、ダウンロード制御メタファイル１２０のダウンロード実行情報１２２から、ダウンロード希望のコンテンツ毎に、配
信コンテンツの所在情報（ＵＲＬ）１２２ｄを取得し、これをもとに、コンテンツサーバ３００に要求し、これによってダウンロードを希望したコンテンツ本体３１０がダウンロードされる（ステップＳ１１３）。
【００６０】
このようにして取得した配信コンテンツ用メタファイル２１０やコンテンツ本体３１０は、ＨＤＤ５５０に記録保存される（ステップＳ１１４）。また、ユーザによって操作装置で所定の操作がなされると、ＣＰＵ５２０がローカルナビゲーションプログラムを実行することにより、ダウンロード済みのコンテンツ本体３１０に対してＨＤＤ５５０から配信コンテンツ用メタファイル２１０が読み出され、その番組情報２１１（図３）などからＨＤＤ５５０に記録保持されているダウンロード済みのコンテンツ本体３１０の一覧画面や検索画面が作成されてモニタ５６０に表示される。そして、かかる一覧画面や検索画面
で所望のコンテンツを指定することにより、この指定されたダウンロード済みのコンテンツ本体３１０がＨＤＤ５５０から読み出され、モニタ５６０に表示される。
【００６１】
このようにして、ダウンロードされたコンテンツ本体３１０とこれに該当するコンテンツ用メタファイル２１０とが互いに関連付けられてＨＤＤ５５０に記録されるものである。従って、コンテンツ本体３１０がＨＤＤ５５０に記録されると、これに該当するコンテンツ用メタファイル２１０もＨＤＤ５５０に記録されるものであり、ＨＤＤ５５０では、コンテンツ本体３１０が記録されないコンテンツ用メタファイル２１０は記録されないものであるし、コンテンツ用メタファイル２１０が記録されていないコンテンツ本体３１０も記録されない。
【００６２】
図５は、図１における情報処理装置５００において、ＨＤＤ５５０に格納されたダウンロード済みのコンテンツ本体に対し、プログラム（ローカルナビゲーションプログラム）を実行しているときのモニタ５６０での画面遷移の一具体例を示す図であり、６００はコンテンツ一覧画面、７００はコンテンツ詳細画面、８００は再生画面である。
【００６３】
同図において、ユーザが操作装置を操作して情報処理装置５００を起動させた後、その操作装置の「メニュー」ボタンを操作すると、モニタ５６０の表示画面にメニューのリストからなるメニュー画面が表示される。ユーザが操作装置を操作として、このメニュー画面での、例えば、メニュー「ローカルナビゲーション」を選択すると（あるいは、この操作装置にローカルナビゲーションプログラムを起動させる専用の操作ボタンが設けられているときには、この操作ボタンを操作すると）、ＣＰＵ５２０がＨＤＤ５５０に記録されているローカルナビゲーションプログラムを起動し、実行する（ステップＳ３０１）。このローカルナビゲーションプログラムが実行されると、ＨＤＤ５５０に記録されているダウンロード済みのコンテンツ本体３１０の一覧を表わすコンテンツ一覧画面６００がモニタ５６０の表示画面に表示される。このコンテンツ一覧画面６００には、ＨＤＤ５５０に記録されているダウンロード済みのコンテンツ本体３１０がこれに該当するサムネイルやアイコンを用いて表わされ、かかるサムネイルやアイコンが表示さる。
【００６４】
かかるコンテンツ一覧画面６００が表示されているとき、ユーザが操作装置を操作してこのコンテンツ一覧画面６００で所望とするコンテンツ本体３１０のサムネイルまたはアイコンを指示し、「選択」ボタンを操作すると、表示画面の切り替えが行なわれ（ステップＳ３０３）、コンテンツ用メタファイル２１０の番組情報２１１（図３）などをもとに作成された当該コンテンツ本体３１０の詳細を表わすコンテンツ詳細画面７００がモニタ５６０の表示画面に表示される。ここで、操作装置の「戻る」ボタンが操作されると、元のコンテンツ一覧画面６００の表示に戻る（ステップＳ３０３）。
【００６５】
また、コンテンツ一覧画面６００が表示されているとき、ユーザが操作装置を操作してこのコンテンツ一覧画面６００で所望とするコンテンツ本体３１０のサムネイルまたはアイコンを指示し、「再生」ボタンを操作すると、該当するコンテンツ本体３１０がＨＤＤ５５０から再生され（ステップＳ３０２）、そのコンテンツ再生画面８００がモニタ５６０の表示画面に表示される。この表示状態で、操作装置の「停止」ボタンが操作されると、元のコンテンツ一覧画面６００の表示に戻る（ステップＳ３０３）。
【００６６】
さらに、コンテンツ詳細画面７００が表示されている状態で、ユーザが操作装置の「再生」ボタンを操作すると、該当するコンテンツ本体３１０がＨＤＤ５５０から再生され（ステップＳ３０４）、そのコンテンツ再生画面８００がモニタ５６０の表示画面に表示される。この表示状態で、操作装置の「停止」ボタンが操作されると、元のコンテンツ詳細画面７００の表示に戻る（ステップＳ３０４）。
【００６７】
以上のようなダウンロードの一般的な処理手順では、購入したコンテンツのうちのダウンロード済みのコンテンツ本体３１０に対してのみ、コンテンツ一覧画面６００が表示されるものであり、ダウンロードされていないコンテンツについては、コンテンツ一覧画面のリストに表れないことになり、購入した全てのコンテンツの確認をすることができないという問題がある。
【００６８】
また、上記のダウンロードの一般的な処理手順では、図４に示されるように、ユーザはコンテンツの購入のための操作（ステップＳ１０３）とともに、購入したコンテンツのダウンロード命令のための操作（ステップＳ１０７）を必要とするものであり、２度の操作を必要として手間がかかるものであるし、また、そのいずれか一方の操作をし忘れると、コンテンツのダウンロードが行なわれず、購入希望のコンテンツを取得できないという問題がある。
【００６９】
この実施形態は、かかる問題を解消するものであって、図６は図１に示すシステムにおける本発明によるダウンロード制御装置の実施形態によるダウンロード処理動作を示すフローチャートである。
【００７０】
同図において、図４の場合と同様、まず、図１における情報処理装置５００において、ユーザが操作装置を操作することにより、その操作信号が受信部５７０で受信される。ＣＰＵ５２０は、この受信された操作信号の指示により、メモリ５３０に格納されているブラウザプログラムを実行して、コンテンツの配信サービスを提供するプロバイダのＷｅｂサーバ１００のダウンロードポータルサイトにアクセスし、コンテンツの配信を要求する（ステップＳ２０１）。Ｗｅｂサーバ１００は、情報処理装置５００からのこの要求に対し、提供可能なコンテンツのリストを含み、かつこのリスト上のコンテンツ毎にそれに関する情報を含むＷｅｂページ１１１を情報処理装置５００に転送する。これにより、ＣＰＵ５２０は、ブラウザプログラムを実行して、モニタ５６０に購入可能なコンテンツの提供されたリストの画面、即ち、Ｗｅｂページ１１１を表示させる（ステップＳ２０２）。
【００７１】
このリストの画面では、図４の場合と同様、例えば、コンテンツ毎にその名称あるいはサムネイルが表示されており、名称あるいはサムネイル毎にチェックボックスが設けられており、ユーザが操作装置を操作して購入を希望するコンテンツのチェックボックスにチェックマークを付し、しかる後、Ｗｅｂページ１１１に表示される購入ボタンを押圧する操作を行なうと、情報処理装置５００からＷｅｂサーバ１００に購入命令が転送される（ステップＳ２０３）。
【００７２】
情報処理装置５００から転送される購入命令には、この情報処理装置５００の操作ＩＤまたはユーザＩＤや購入を指定したコンテンツのパッケージに関する情報などの情報が含まれており、この購入命令を取得したＷｅｂサーバ１００は、課金処理を行なう（ステップＳ１０４）。課金処理が完了すると、Ｗｅｂサーバ１００は、情報処理装置５００からの購入命令によって購入された各コンテンツ（パッケージ）毎に、これ該当するダウンロード制御情報１２１（図２）をその購入パッケージＩＤ１２１ｄから求め（ステップＳ２０５）、求めたダウンロード制御情報１２１を含むダウンロード制御メタファイル１２０
を発行して、情報処理装置５００に転送する（ステップＳ２０６）。
【００７３】
情報処理装置５００は、このダウンロード制御メタファイル１２０を取得すると（ステップＳ２０７）、これを解析して（ステップＳ２０８）、このダウンロード制御メタファイル１２０のダウンロード実行情報１２２（図２）から、購入したコンテンツ毎に、配信コンテンツ用メタファイルの所在情報（ＵＲＬ）１２２ｆを取得し、これをもとに、コンテンツメタファイルサーバ２００に要求して、全ての購入したコンテンツに該当するコンテンツ用メタファイル２１０を取得する（ステップＳ２０９）。そして、これらコンテンツ用メタファイル２１０を順に解析して（ステップＳ２１０）、コンテンツ用メタファイル２１０の番組情報２１１での番組のサムネイルの所在情報（ＵＲＬ）とシリーズ情報２１２でのシリーズのサムネイルの所在情報（ＵＲＬ）をもとに、コンテンツメタファイルサーバ２００のサムネイルファイル２２０の中から、購入したコンテンツに該当するサムネイル画像を取得する（ステップＳ２１１）。
【００７４】
このようにして、情報処理装置５００では、ステップＳ２０３で指定した購入したコンテンツ全てに対し、ダウンロード制御メタファイル１２０とコンテンツ用メタファイル２１０とサムネイル画像とが取得されることになり、これらはＨＤＤ５５０に記録される（ステップＳ１２）。なお、コンテンツ用メタファイル２１０を取得することにより、図３に示すように、番組のタイトルや概要テキスト，ジャンル，シリーズのタイトルなどの購入したコンテンツのメタデータが取得できることになる。
【００７５】
以上の処理動作が完了すると、情報処理装置５００において、ＣＰＵ５２０がＨＤＤ５５０からダウンロード制御メタファイル１２０を１つずつ読み出して解析し、ダウンロード制御メタファイル１２０（図２）のダウンロード実行情報１２２での配信コンテンツの所在情報（ＵＲＬ）１２２ｄなどをもとに、コンテンツサーバ３００から購入したコンテンツ本体３１０をダウンロードされる。これにより、購入したコンテンツ本体３１０が順に情報処理装置５００にダウンロードされ、ＨＤＤ５５０に記録される。
【００７６】
このようにして、購入したコンテンツ本体３１０がダウンロードされることになり、かかるコンテンツ本体３１０のダウンロード処理動作中にあっても、ユーザによって操作装置で所定の操作がなされると、ＣＰＵ５２０がローカルナビゲーションプログラムを実行することにより、ＨＤＤ５５０に記録されているコンテンツ用メタファイル２１０やサムネイル画像が読み出され、これらをもとに購入希望の全てのコンテンツに対する一覧画面や検索画面が作成されてモニタ５６０に表示される。
【００７７】
かかる一覧画面や検索画面では、購入希望した（ステップＳ２０３）全てのコンテンツのリストが表示されるので、購入希望した全てのコンテンツについての確認をすることができる。但し、ダウンロード済みのコンテンツとダウンロード未完了のコンテンツとのリストは区別して表示され、これにより、ダウンロード済みのコンテンツであるか否かも確認することができる。
【００７８】
なお、ダウンロード未完了のコンテンツとは、ダウンロードが開始していないコンテンツ（即ち、ダウンロードがないコンテンツ）は勿論であるが、ダウンロードを開始してはいるが、ダウンロードしているのはその一部であって、ダウンロードが完了していないコンテンツ（即ち、ダウンロード中のコンテンツ）も含むものである。
【００７９】
図７は図６に示す処理動作によって得られた情報に基づいて図１におけるモニタ５６０の表示画面に表示される図５でのコンテンツ一覧画面６００の一具体例を示す図であって、６１０はコンテンツ一覧画面、６１１，６１２は番組メニュー、６１３はスクロール部である。
【００８０】
同図において、このコンテンツ一覧画面６１０は、上記のように、情報処理装置５００のＨＤＤ５５０に記録されたコンテンツ用メタファイル２１０のメタデータから作成されたものであって、購入したコンテンツ全てについて、かかるコンテンツ毎に番組メニュー６１１，６１２が配列されて表示される。これら番組メニュー６１１，６１２は、ここでは、コンテンツメタファイルサーバ２００から取得して情報処理装置５００のＨＤＤ５５０に記録されたコンテンツ用メタファイル２１０（図３）での情報（番組のタイトル２１１ａや番組のジャンル２１１ｃ，シリーズのタイトル２１２ａなどのメタデータ）が表示
されて、夫々の番組メニュー６１１，６１２が購入したコンテンツに１つ１つ対応させているものであるが、コンテンツメタファイルサーバ２００（図１）のサムネイルファイル２２０から取得して情報処理装置５００のＨＤＤ５５０に記録されたサムネイル画像が付加されたものであってもよい。
【００８１】
ここで、番組メニュー６１１は、ダウンロード済みの購入希望コンテンツに対するものであって、例えば、太枠で囲んで表示され、また、サムネイル６１２は、ダウンロード未完了の購入希望コンテンツに対するものであって、例えば、点線枠で囲んで表示されており、このように、表示状態を異ならせることにより、ダウンロード済みか、ダウンロード未完了かを容易に識別できるようにしている。
【００８２】
なお、ダウンロード済みか、ダウンロード未完了かを区別できるようにするために、かかる表示状態に限るものではなく、例えば、番組メニュー６１１，６１２の枠を異なる色で表示したり、区別可能な異なるアイコンを表示させたり、ダウンロード済みの番組メニュー６１１はカラー画像として表示し、ダウンロード未完了は白黒画像として表示したりするなど、他の方法を用いてもよいことはもちろんである。
【００８３】
また、ダウンロード未完了のコンテンツについても、ダウンロードがないコンテンツとダウンロード中のコンテンツとで、例えば、前者を青い点線枠で示し、後者を赤い点線枠で示すなど、番組メニュー６１２が区別できるようにすることもできる。
【００８４】
また、コンテンツ一覧画面６１０には、画面全体で全ての購入したコンテンツに対する番組メニュー６１１，６１２を表示させることができない場合には、即ち、購入したコンテンツが多数あり、コンテンツ一覧画面６１０に表示しきれない番組メニュー６１１，６１２がある場合には、スクロール部６１３が表示され、これを操作装置の操作で操作することにより、番組メニュー６１１，６１２の配列が上下にスクロール（左右にスクロールするようにしてもよい）し、表示されていなかった番組メニュー６１１，６１２を表示させるようにすることもできる。
【００８５】
かかるコンテンツ一覧画面６１０において、操作装置の操作によっていずれかの番組メニュー６１１，６１２を選択すると、図５に示すコンテンツ詳細画面７００がモニタ５６０の表示画面に表示される。
【００８６】
図８はかかるコンテンツ詳細画面７００の一具体例を示す図であって、同図（ａ）は図７に示すコンテンツ一覧画面６１０でダウンロード済みのコンテンツに対する番組メニュー６１１が選択された場合のコンテンツ詳細画面７００を、同図（ｂ）は同じくダウンロード未完了のコンテンツに対する番組メニュー６１２が選択された場合のコンテンツ詳細画面７００を夫々示すものであり、７１０，７２０はコンテンツ詳細画面、７１１，７２１はサムネイル画像、７１２，７２２は番組詳細情報、７１３は「再生」ボタン、７１４，７２４は「戻る」ボタン、７１５，７２５はスクロール部である。
【００８７】
図７に示すコンテンツ一覧画面６１０でダウンロード済みのコンテンツに対する番組メニュー６１１が選択されると、図８（ａ）に示すコンテンツ詳細画面７１０がモニタ５６０の表示画面に表示される。このコンテンツ詳細画面７１０では、この選択された購入希望のコンタンツに関し、ＨＤＤ５５０から読み出されたサムネイル画像７１１と、ＨＤＤ５５０から読み出されたコンテンツ用メタファイル２１０（図３）での番組のタイトル２１１ａなどの番組情報２１１やシリーズ情報２１２，ライセンス情報２１３，購入情報２１４などに基づく番組詳細情報７１２が表示され、この番組詳細情報７１２の表示欄にス
クロール部７１５が表示されて、番組詳細情報７１２をスクロールできるようにしている。
【００８８】
また、このコンテンツ詳細画面７１０には、「再生」ボタン７１３と「戻る」ボタン７１４とが表示されている。この「再生」ボタン７１３が選択されると、該当するコンテンツ本体３１０がＨＤＤ５６０から再生され、モニタ５６０の表示画面に表示される状態となる。「戻る」ボタン７１４が選択されると、図７に示すコンテンツ一覧画面６１０の表示状態に戻る。
【００８９】
また、図７に示すコンテンツ一覧画面６１０でダウンロード未完了のコンテンツに対する番組メニュー６１２が選択されると、図８（ｂ）に示すコンテンツ詳細画面７２０がモニタ５６０の表示画面に表示される。このコンテンツ詳細画面７２０では、図８（ａ）に示すコンタンツ詳細画面７１０と同様、この選択されたダウンロード未完了で購入希望のコンタンツに関し、サムネイル画像７１１と、スクロール部７２５が表示された番組詳細情報７２２と、「戻る」ボタン７２４とが表示されているが、該当するコンテンツ本体３１０がダウンロードされていないので、「再生」ボタンは表示されない。この「戻る」ボ
タン７２４も、これが選択されると、図７に示すコンテンツ一覧画面６１０の表示状態に戻る。
【００９０】
このようにして、この実施形態では、購入した全てのコンテンツの番組メニュー（上記の場合、メタデータなどからなる）のリストがコンテンツ一覧画面で表示され、これにより、かかるコンテンツの確認をすることができる。また、ダウンロード済みのコンテンツとダウンロード未完了のコンテンツとが区別できるように、このコンテンツ一覧画面でリストが表示されるものであるから、購入したコンテンツがダウンロード済みであるか未完了であるかも認識でき、再生できるコンテンツを確実に判別することができる。
【００９１】
図９は本発明によるダウンロード制御装置の第２の実施形態におけるコンテンツ詳細画面７００の他の具体例を示す図であって、同図（ａ）はダウンロードがないコンテンツに対するコンテンツ詳細画面７００を、同図（ｂ）はダウンロード中のコンテンツに対するコンテンツ詳細画面を夫々示するものであり、７３０，７４０はコンテンツ詳細画面、７３１は「ダウンロード」ボタン、７４１はメッセージ表示欄である。なお、図８（ｂ）に対応する部分には同一符号をつけて重複する説明を省略する。
【００９２】
図７に示すコンテンツ一覧画面６１０でダウンロード未完了でダウンロードがないコンテンツに対する番組メニュー６１２が選択されると、図９（ａ）に示すコンテンツ詳細画面７３０がモニタ５６０の表示画面に表示される。このコンテンツ詳細画面７３０では、図８（ｂ）に示すコンタンツ詳細画面７２０と同様、この選択されたダウンロード未完了でダウンロードがないコンタンツに関し、サムネイル画像７２１と、スクロール部７２５が表示された番組詳細情報７２２と、「戻る」ボタン７２４とが表示されているが、さらに、「ダウンロード」ボタン７３１が表示される。
【００９３】
かかるコンテンツ詳細画面７３０において、操作装置を操作して「ダウンロード」ボタン７３１が選択されると、このコンテンツ詳細画面７３０に該当する購入済みのコンテンツに関し、ダウンロード制御メタファイル１２０（図２）のダウンロード実行情報１２２での配信コンテンツの所在情報（ＵＲＬ）１２２ｄをもとに、コンテンツサーバ３００（図１）にこの購入したコンテンツのダウンロードを要求する。この要求に応答して、コンテンツサーバ３００は該当するコンテンツ本体３１０を情報処理装置５００にダウンロードする。これにより、情報処理装置５００では、このダウンロードされたコンテンツ本体３１０をＨＤＤ５５０に記録する。
【００９４】
なお、「ダウンロード」ボタン７３１を選択した時点で他のダウンロード未完了のコンテンツのダウンロードが行なわれているときには（通常、かかる状態にある）、このコンテンツのダウンロードの完了を待って、この購入コンテンツのダウンロードが開始されることになる。
【００９５】
図７に示すコンテンツ一覧画面６１０でダウンロード未完了でダウンロード中のコンテンツに対する番組メニュー６１２が選択されると、図９（ｂ）に示すコンテンツ詳細画面７４０がモニタ５６０の表示画面に表示される。このコンテンツ詳細画面７４０でも、図８（ｂ）に示すコンタンツ詳細画面７２０と同様、この選択されたダウンロード未完了でダウンロード中のコンタンツに関し、サムネイル画像７２１と、スクロール部７２５が表示された番組詳細情報７２２と、「戻る」ボタン７２４とが表示されているが、さらに、メッセージ表示欄７４１が表示され、これに、例えば、「只今ダウンロード中」といったようなダウンロード中であることを通知するためのメッセージが表示される。
【００９６】
このようにして、ダウンロード未完了のコンテンツの現状を確認することができるものであり、ダウンロードがないコンテンツに対しては、コンテンツ詳細画面７３０での操作により、他のダウンロードのない未完了のコンテンツに優先してダウンロードを開始させることができる。
【００９７】
図１０は本発明によるダウンロード制御装置の第３の実施形態におけるコンテンツ詳細画面７００のさらに他の具体例を示す図であって、７５０はコンテンツ詳細画面、７５１はダウンロード進捗状況表示欄、７５２はダウンロード進捗状況表示バーであり、図８（ｂ）に対応する部分には同一符号をつけて重複する説明を省略する。
【００９８】
図７に示すコンテンツ一覧画面６１０でダウンロード未完了でダウンロード中のコンテンツに対する番組メニュー６１２が選択されると、あるいはまた、図９（ａ）に示すコンテンツ詳細画面７３０で「ダウンロード」ボタン７３１が選択されて該当するコンテンツ本体３１０のダウンロードが開始されると、図１０に示すコンテンツ詳細画面７５０がモニタ５６０の表示画面に表示される。このコンテンツ詳細画面７５０では、図８（ｂ）に示すコンタンツ詳細画面７２０と同様、この選択されたダウンロード未完了でダウンロード中コンタンツに関し、サムネイル画像７２１と、スクロール部７２５が表示された番組詳細情報７２２と、「戻る」ボタン７２４とが表示されているが、さらに、ダウンロード進捗状況表示欄７５１が表示され、このダウンロード進捗状況表示欄７５１でダウンロード進捗状況に応じて長さが変化（増加）していくダウンロード進捗状況表示バー７５２が表示される。このダウンロード進捗状況表示バー７５２がダウンロード進捗状況表示欄７５１全体となると、ダウンロードが完了したことになる。
【００９９】
図１１は、図１０に示すコンテンツ詳細画面７５０において、ダウンロード進捗状況表示欄７５１でのダウンロード進捗状況表示バー７５２が所定の長さとなったときのコンテンツ詳細画面７００を示す図であって、７６０はコンテンツ詳細画面、７６１は「再生」ボタンであり、図１０に対応する部分には同一符号をつけて重複する説明を省略する。
【０１００】
図１０に示すコンテンツ詳細画面７５０が表示されている状態で、選択された購入済みのコンテンツ本体３１０のダウンロードが進み、ダウンロード進捗状況表示欄７５１でのダウンロード進捗状況表示バー７５２が所定の長さとなると（即ち、この購入済みコンテンツが、全体のサイズに対して、所定の割合だけダウンロードが進んで、これと同時に再生することが可能な状態になると）、図１１に示すコンテンツ詳細画面７６０が表示される。
【０１０１】
このコンテンツ詳細画面７６０では、図１０に示すコンタンツ詳細画面７５０と同様、この選択されたダウンロード未完了でダウンロード中コンタンツに関し、サムネイル画像７２１と、スクロール部７２５が表示された番組詳細情報７２２と、「戻る」ボタン７２４と、ダウンロード進捗状況表示欄７５１とが表示されているが、さらに、「再生」ボタン７６１も表示され、このダウンロード中のコンテンツ本体３１０は再生可能であることが通知される。
【０１０２】
図１２は図１１における「再生」ボタン７６１を選択したときに表示される再生画面８００（図５）の一具体例を示す図であって、８１０は再生画面、８１１はコンテンツ表示エリア、８１２は再生進捗状況表示バーであり、図１１に対応する部分には同一符号をつけて重複する説明を省略する。
【０１０３】
図１１に示すコンテンツ詳細画面７６０で「再生」ボタン７６１が選択されると、ＨＤＤ５５０（図１）に記録されているダウンロード中のコンテンツ本体３１０が、また、その先頭部から再生され、モニタ５６０の表示画面に図１２に示す再生画面８１０が表示される。
【０１０４】
この再生画面８１０には、再生されたコンテンツ本体３１０が再生されるコンテンツ表示エリア８１１が表示されるとともに、ダウンロード進捗状況表示欄７５１が表示されて、これに、ダウンロード進捗状況表示バー７５２に重なるようにして、このコンテンツ本体３１０の再生進捗状況を示す再生進捗状況表示バー８１２が表示される。この再生進捗状況表示バー８１２は、このコンテンツ本体３１０の再生が進行するにつれて長さが長くなっていき、ダウンロード進捗状況表示欄７５１全体の長さとなると、このコンテンツ本体３１０全体が再生されたことになる。但し、このように、コンテンツ本体が再生可能となったときには（図１１）、ＨＤＤ５５０での再生位置が記録位置を追い越すような事態にはならない。
【０１０５】
図１３は本発明によるダウンロード制御装置の第４の実施形態での警告画面の一具体例を示す図であって、９００は警告画面、９０１は警告メッセージ表示エリア、９０２は「はい」ボタン、９０３は「いいえ」ボタンである。
【０１０６】
この第４の実施形態も、先の各実施形態と同様であるが、図１１に示すコンテンツ詳細画面７３０の表示中に、選択されたコンテンツのほかに他の１つのコンテンツ本体３１０もダウンロード中であったときに（２つのコンテンツ本体３１０のダウンロードが同時に行なわれているときに）、このコンテンツ詳細画面７６０で「再生」ボタン７６１が選択されると、図１３に示す警告画面９００を表示するものである。
【０１０７】
この警告画面９００では、ダウンロード中の他の番組（コンテンツ本体３１０）があって、選択されたダウンロードのないコンテンツ本体３１０のダウンロードを開始させると、現在ダウンロード中のコンテナツ本体３１０のダウンロードを一時停止することになる旨の警告メッセージが表示され、これとともに、この選択されたダウンロードのないコンテンツ本体３１０のダウンロードを開始させるかどうかを問い合わせ、開始か中止かを選択するための「はい」ボタン９０２と「いいえ」ボタン９０３とが表示される。
【０１０８】
ここで、「いいえ」ボタン９０３が選択されると、図１０に示すコンテンツ詳細画面７５０の表示に戻り、２つのコンテンツ本体３１０のうちの少なくともいずれかのダウンロードが完了するまで、図１１に示す「再生」ボタン７６１が表示されるコンテンツ詳細画面７６０は表示されない。
【０１０９】
また、「はい」ボタン９０２が選択されると、上記の他のコンテンツ本体３１０のダウンロードが一時停止し、選択されてダウンロード中のこのコンテンツ本体３１０が、ダウンロードを継続しながら、ＨＤＤ５５０から再生され、図１２に示す再生画面８１０に表示が切り替わる。
【符号の説明】
【０１１０】
１００  Ｗｅｂサーバ
１１０  Ｗｅｂページ
１２０  ダウンロード制御メタファイル
２００  コンテンツメタファイルサーバ
２１０  コンテンツ用メタファイル
２２０  サムネイルファイル
３００  コンテンツサーバ
３１０  コンテンツ本体
５００  情報処理装置
５２０  ＣＰＵ（中央処理ユニット）
５３０  メモリ
５５０  ＨＤＤ
５６０  モニタ
５７０  受信部
６００，６１０  コンテンツ一覧画面
６１１，６１２  番組メニュー
６１３  スクロール部
７００〜７６０  コンテンツ詳細画面
７１１，７２１  サムネイル画像
７１２，７２２  番組詳細情報
７１３  「再生」ボタン
７１４，７２４  「戻る」ボタン
７１５，７２５  スクロール部
７３１  「ダウンロード」ボタン
７４１  メッセージ表示欄
７５１  ダウンロード進捗状況表示欄
７５２  ダウンロード進捗状況表示バー
７６１  「再生」ボタン
８００，８１０  再生画面
８１１  コンテンツ表示エリア
８１２  再生進捗状況表示バー
９００  警告画面
９０１  警告メッセージ表示エリア
９０２  「はい」ボタン
９０３  「いいえ」ボタン
【図１】
2014014094.tif 000003
【図２】
2014014094.tif 000004
【図３】
2014014094.tif 000005
【図４】
2014014094.tif 000006
【図５】
2014014094.tif 000007
【図６】
2014014094.tif 000008
【図７】
2014014094.tif 000009
【図８】
2014014094.tif 000010
【図９】
2014014094.tif 000011
【図１０】
2014014094.tif 000012
【図１１】
2014014094.tif 000013
【図１２】
2014014094.tif 000014
【図１３】
2014014094.tif 000015